(57)【特許請求の範囲】
【請求項１】
肌当接面側の表面シート、非肌当接面側の裏面シート、及び該表面シートと裏面シートとの間に介在配置された液保持性の吸収体を有し、着用者の腹側から股下を介して背側に亘って配される方向を長手方向、該長手方向と直交する方向を横方向とする吸収性パッドであって、
前記吸収体を長手方向に、前方部、股下部及び後方部と区分した際に、該吸収体には、吸収材料を部分的に欠いたスリット部が２本以上、前記股下部を中心に長手方向に配されており、該スリット部に挟まれた中央吸収体と、該スリット部の外側に位置する側部吸収体を備え、
側部弾性体が前記股下部に存在し、該側部弾性体は、前記側部吸収体と前記裏面シートとの間に、又は、前記側部吸収体に対応する前記裏面シートの非肌当接面側に長手方向に沿って接着されて配されており、
前記中央吸収体は前記側部吸収体よりも厚みが厚く、前記スリット部の後方端部は前記吸収体の後方端部より前方側に位置しており、
前記後方部において、前記側部弾性体が前記股下部から連続して延在し、かつ、前記側部弾性体の後方端部が前記スリット部の後方端部よりも後方側に位置する吸収性パッド。
【請求項２】
前記側部弾性体の前方端部は、前記吸収体の前方部と股下部との境界よりも後方側に位置する請求項１に記載の吸収性パッド。
【請求項３】
前記スリット部においては、表面シートと裏面シートとの間に弾性体が存在しない請求項１又は２に記載の吸収性パッド。
【請求項４】
前記側部弾性体は、前記側部吸収体の股下部における幅方向中間領域を通る請求項１〜３のいずれか１項に記載の吸収性パッド。
【請求項５】
肌当接面側の表面シート、非肌当接面側の裏面シート、及び該表面シートと裏面シートとの間に介在配置された液保持性の吸収体を有し、着用者の腹側から股下を介して背側に亘って配される方向を長手方向、該長手方向と直交する方向を横方向とする吸収性パッドであって、
前記吸収体を長手方向に、前方部、股下部及び後方部と区分した際に、該吸収体には、吸収材料を部分的に欠いたスリット部が２本以上、前記股下部を中心に長手方向に配されており、該スリット部に挟まれた中央吸収体と、該スリット部の外側に位置する側部吸収体を備え、
側部弾性体が前記股下部に存在し、該側部弾性体は、前記側部吸収体と前記裏面シートとの間に、又は、前記側部吸収体に対応する前記裏面シートの非肌当接面側に長手方向に沿って接着されて配されており、
前記中央吸収体は前記側部吸収体よりも厚みが厚く、前記スリット部の後方端部は前記吸収体の後方端部より前方側に位置しており、
前記中央吸収体の裏面側に中央弾性体が配されている吸収性パッド。
【請求項６】
前記側部弾性体の前方端部は、前記吸収体の前方部と股下部との境界よりも後方側に位置する請求項５に記載の吸収性パッド。
【請求項７】
前記スリット部においては、表面シートと裏面シートとの間に弾性体が存在しない請求項５又は６に記載の吸収性パッド。
【請求項８】
前記側部弾性体は、前記側部吸収体の股下部における幅方向中間領域を通る請求項５〜７のいずれか１項に記載の吸収性パッド。
【請求項９】
前記中央弾性体の後方端部は、前記吸収体の後方部と股下部との境界よりも前方側に位置する請求項５〜８のいずれか１項に記載の吸収性パッド。
【請求項１０】
前記中央弾性体は前記前方部まで連続して延在している請求項５〜９のいずれか１項に記載の吸収性パッド。
【請求項１１】
前記側部弾性体の前方端部が前記スリット部の前方端部よりも後方側に位置する請求項１〜１０のいずれか１項に記載の吸収性パッド。
【発明の詳細な説明】
【技術分野】
【０００１】
本発明は吸収性パッドに関する。
【背景技術】
【０００２】
吸収性パッドは、使い捨ておむつや下着、パッドホルダーなどの内側に重ねて、着用者の股下から腹側及び背側に渡して使用される。吸収性パッドの一種である大人用の尿とりパッドは、使い捨ておむつに重ねて使用されることが多い。このような方法により、一日に何度も交換が必要な要介護者の場合でも、パッドのみの交換で済み、おむつ自体の交換頻度を軽減でき、経済的及び労力的な負担を軽減することができる。しかし、この吸収性パッドに関して、尿等の横漏れ防止や肌へフィット性についてはまだ満足できるものではない。そのためこの点の改良に関する技術がこれまでいくつか提案されている。
【０００３】
例えば、特許文献１には、着用者の股下に当たる長手方向の中間部分を幅方向に中央部分と両サイド部分とに分離した吸収性物品が記載されている。この物品では、前記サイド部分が下層に接合されない部分で、弾性部材が長手方向に配されている。該弾性部材の収縮力によりサイド部分が幅方向内方にスライドして中間部分の幅が狭くなり、股間部付近での収まりが良好となるとされる。
特許文献２には、吸収性コアについて、着用者の股下に当たる長手方向の中間部を幅方向に左側部分、右側部分、中央部分に３分割した吸収性物品が記載されている。この物品では、吸収性コアがバックシートの左側部分及び右側部分と重なる部分に、長手方向に延びるコア用弾性部材が配されている。該コア用弾性部材の収縮で、前記左右側部分が持ち上がると同時に、中央部分が着用者の股間部に対し窪み、吸収性コア断面が下向きの凸となる。これにより、適度な距離を保って尿等の排泄物を好適に収容しやすくなるとされる。
【０００４】
また、特許文献３には、着用者物品について、両脚の締め付けによるシート及びコアの皺発生を低減するため、裏面シート内面の幅方向中央部に弾性伸縮部材を配したものが記載されている。
特許文献４には、脚回りに対するフィット性のため、外装体の側縁よりも幅方向外方に延出させた、吸収性コアを含まない伸縮性防漏部を備える吸収性物品が記載されている。
さらに、特許文献５には、吸収体を中央吸収体と左右両側のレッグ吸収体とに区分させた使い捨ておむつが記載されている。該おむつでは、中央吸収体とレッグ吸収体の間にこれらよりも坪量を小さくした中間領域が形成されている。そしてこの中間領域よりも内側で、中央吸収体の両側部に位置する可撓軸が形成されている。このため、中央吸収体の両側が可撓軸に沿って立ち上がり、さらに外側のレッグ吸収体が幅方向外方に折れ曲りやすくしている。また、中央吸収体上には凹状のポケットＳを形成する。
【０００５】
【特許文献１】特開２０１２−１６４１４号公報
【特許文献２】特開２０１１−２５０９４７号公報
【特許文献３】特開平１１−１８８０５６号公報
【特許文献４】特開２００６−１２２３９６号公報
【特許文献５】特開２００２−２６３１３５号公報
【発明の概要】
【発明が解決しようとする課題】
【０００６】
前述した吸収性パッドの装着者が横になって寝た場合、その体位によって液が吸収される様子は異なる。特に、介護度の高い高齢者などの場合、褥瘡防止のため側臥位である時間が長くなる。この側臥位の場合、排泄液が身体の傾き面に沿って流れていくのは避けられない。この場合、排泄液は側臥位の下側に集まり、それが十分に吸収されないまま横漏れ（股漏れ）することがある。
また、高齢に伴い膀胱機能が低下して排尿速度が遅くなることがある。この場合も、尿が肌を伝い流れやすくなり、着用者の排尿部と吸収性物品の間に隙間があると尿が側臥位による身体の傾きに沿って流れてしまう傾向が顕著に現れる。
これに対しては、吸収性材料（パルプやポリマー）の増量による吸収量増加で対応することも考えられる。しかし、前記増量は、厚みが増すことによる穿き心地低下やコストアップが考えられ、適当ではない。前述した従来技術には、このような体の傾きと排尿速度の低下とによる液流れ現象に対処する観点はなく、横向き姿勢における液漏れ防止機能、すなわち横向き時の吸収量についてまだ改善の余地がある。
【０００７】
本発明は、上記の点に鑑み、吸収性材料を増量せずに、吸収体全体を有効に活用して横向き吸収量を向上できる吸収性パッドに関する。
【課題を解決するための手段】
【０００８】
本発明は、肌当接面側の表面シート、非肌当接面側の裏面シート、及び該表面シートと裏面シートとの間に介在配置された液保持性の吸収体を有し、着用者の腹側から股下を介して背側に亘って配される方向を長手方向、該長手方向と直交する方向を横方向とする吸収性パッドであって、
前記吸収体を長手方向に、前方部、股下部及び後方部と区分した際に、該吸収体には、吸収材料を部分的に欠いたスリット部が２本以上、前記股下部を中心に長手方向に配されており、該スリット部に挟まれた中央吸収体と、該スリット部の外側に位置する側部吸収体を備え、
側部弾性体が前記股下部に存在し、該側部弾性体は、前記側部吸収体と前記裏面シートとの間に、又は、前記側部吸収体に対応する前記裏面シートの非肌当接面側に長手方向に沿って接着されて配されており、
前記中央吸収体は前記側部吸収体よりも厚みが厚く、前記スリット部の後方端部は前記吸収体の後方端部より前方側に位置している吸収性パッドを提供する。
【発明の効果】
【０００９】
本発明の吸収性パッドは、吸収性材料を増量せずに、排尿部に対する吸収作用を効果的に発現させ、吸収体全体を有効に活用して横向き吸収量の向上を実現できる。
【図面の簡単な説明】
【００１０】
【図１】本発明の吸収性物品の好ましい一実施形態としての尿とりパッドを肌当接面側から模式的に示した一部切欠平面図である。
【図２】図１のＩＩ−ＩＩ線断面の断面図である。
【図３】着用者の股下部分の肌曲面を鞍面形状として示した模式図である。
【図４】本実施形態の尿とりパッドを装着した際の吸収体における股下部から後方部にかけての変形を模式的に示した一部断面斜視図である。
【図５】本実施形態の尿とりパッドを装着した際の吸収体における前方部から股下部にかけての変形を模式的に示した一部断面斜視図である。
【図６】スリット部の別の態様を吸収体の肌当接面側において模式的に示した平面図である。
【図７】吸収体の別の態様を示す股下部の断面図である。
【図８】吸収体のさらに別の態様を示す股下部の断面図である。
【図９】吸収体のさらに別の態様を示す股下部の断面図である。
【図１０】本実施形態の尿とりパッドが立体ギャザーを有する態様を示す図２相当の断面図である。
【図１１】（ｉ）〜（ｖ）は実施例の尿とりパッドにおけるスリット部、側部弾性体及び中央弾性体の配置を模式的に示す平面図であり、（ｖｉ）は比較例の尿とりパッドにおけるスリット部、側部弾性体及び中央弾性体の配置を模式的に示す平面図である。
【図１２】（ｉ）は尿とりパッドを人体モデルの正常な位置に当てた状態を示す断面図であり、（ｉｉ）は、正常な位置なら３ｃｍ下げた状態を示す断面図であり、（ｉｉｉ）は（ｉｉ）の位置で固定した状態を示す平面図である。
【図１３】図１２（ｉｉｉ）で尿とりパッドの試料を装着した状態の人体モデルを用いて横向き吸収量を測定する際の、傾斜の付け方を模式的に示す説明図である。
【発明を実施するための形態】
【００１１】
本発明に係る吸収性パッドの好ましい一実施形態として、尿とりパッドについて図１〜５を参照して以下に詳述する。
【００１２】
本発明においては、特に断らない限り、人体に接触する側を肌面側、肌当接面側または表面側といい、これと反対側を非肌面側、非肌当接面側または裏面側という。着用時に人体の腹側に位置する方向を前方といいその端部を前端部とし、背側又は臀部側に位置する方向を後方といいその端部を後端部として説明する。この着用者の腹側から股下を介して背側に配される方向を、吸収性物品の長手方向ないし縦長方向（Ｙ方向）という。該長手方向と直交する方向を幅方向ないし横方向（Ｘ方向）という。また、吸収性物品の表面又は裏面の法線方向を厚み方向といいその量を厚みという。
【００１３】
図１及び２に示すように、本実施形態の尿とりパッド１０は、肌当接面側に配された表面シート１、非肌当接面側に配された裏面シート２、及び前記両シートの間に介在配置された液保持性の吸収体３を備える。本実施形態における吸収体３は、吸収材料の積繊体３６と該積繊体の外表面を覆うコアラップシート３７とからなる。なお吸収体３の構成はこれに限定されるものでなく、液保持性を有する種々の形態を採用できる。例えば、コアラップシート３７を有さない、積繊体３６のみからなるものでもよく、高吸収性ポリマーを２枚のシートで挟持したシート状物からなるものであってもよい。尿とりパッド１０は、着用者の腹側から股下を介して背側に亘って配される長手方向（Ｙ方向）と該長手方向と直交する横方向（Ｘ方向）とを有する。
【００１４】
吸収体３は、その長手方向において、着用者の大腿部に挟まれた股下に配される股下部Ｃ、腹側に配置される前方部Ｆ、背側（臀部側）に配置される後方部Ｒに区分される。また、股下部Ｃは下着のクロッチに当てられる部分ともいえる。吸収体３において、尿等の排泄液を直接受けとめる排泄ポイントＣ１は、着用者の性別にもよるが、股下部Ｃの前方寄りから前方部Ｆの股下寄りの範囲に位置する。
上記の区分に関し、股下部Ｃは、着用者の股下を覆う部分として機能的に定めることができ、これを基準に前方部Ｆ及び後方部Ｒが定まる。すなわち、股下部Ｃが決まることで、前方部Ｆとの境界Ｌ１、後方部Ｒとの境界Ｌ２が定まり、３つの領域が画定される。典型的には、前方部Ｆ、股下部Ｃ及び後方部Ｒは、吸収体３を長手方向に３等分したときの各領域である。
【００１５】
吸収体３においては、後述するように、特定配置とされたスリット部３８及び側部弾性体４、並びに側部吸収体２１よりも厚みのある中央吸収体３２を特徴とする。これにより、着用者の一様でない複雑な肌曲面への吸収体３のフィット性をさらに高め液漏れを防ぐ。すなわち、吸収体３全体の液吸収性能を有効活用して横向き時の吸収量を向上させる。
上記の複雑な肌曲面としては、特に着用者の股下部分の肌曲面が挙げられる。この股下部分は、着用者の股下から両側の大腿部内側を結ぶ身幅方向の、上方に向けて凸となる断面アーチ状の部分と、着用者の排泄部を含めた前後方向の、下方に向けて凸となる部分とを有する。これは図３に示すようないわゆる鞍面形状であり、身幅方向（Ｘ方向）の横断主曲率Ｊ１と前後方向（Ｙ方向）の縦断主曲率Ｊ２とが正負の相反する２つの曲面を組み合わせた構成である。そのため吸収体３が当たる位置によって肌曲面の曲率が変わってくる。
これに対し、吸収体３は、上記の肌曲面に適合する変形が可能である。これは、一つには、スリット部３８が中央吸収体３１及び側部吸収体３２それぞれの独立した変形を可能としたことによる。この変形性に加えて、側部弾性体４が、動きのある大腿部への側部吸収体３２の追従性とフィット性を高め、中央吸収体３１の厚みが側部弾性体４の弾性伸縮力に影響されない排尿部等の股下への密着性を高めることによる。また、スリット部３８の後方端部３８Ｒが吸収体３の後方端部Ｒ１よりも前方側に位置することで、液溜りしやすい部分での効率的な液吸収を可能としている。これらの点について以下に詳述する。
【００１６】
吸収体３には、積繊体３６の吸収材料を部分的に欠いたスリット部が２本以上、股下部を中心に長手方向に配されている。図１に示す本実施形態においては、２本のスリット部３８，３８が配されている。スリット部３８，３８に挟まれた領域が中央吸収体３１であり、該スリット部３８，３８それぞれの幅方向外方の部分が側部吸収体３２，３２である。すなわち、スリット部３８を境にして中央吸収体３１、側部吸収体３２，３２が幅方向に並んでいる。なお、前記スリット部が３本以上配されている場合、これらのスリット部のうち、後述する可撓部の作用を奏する２本に挟まれた部分が中央吸収体３１であり、該スリット部の幅方向外方の部分が側部吸収体３２となる。典型的には、最も幅方向の外側にあるスリット部に挟まれた部分が中央吸収体３１であり、該スリット部の幅方向外方の部分が側部吸収体３２となる。
【００１７】
スリット部３８は、液が流れやすい股下部Ｃを中心に排尿ポイントＣ１のある位置まで長手方向に沿って配され、吸収体３の股下部Ｃにおける可撓部となる。より具体的には、図４が示すとおり、尿とりパッド１０の装着時に着用者の左右の大腿部からの圧力Ｇ１（矢印Ｇ１方向の圧力）が加わると、側部吸収体３２，３２が、中央吸収体３１へ寄りつつ、スリット部３８，３８を軸にして山折り状に折れ曲がる。これにより、側部吸収体３２の肌当接面３２Ａが着用者の大腿部の内側に対向し、中央吸収体３１と側部吸収体３２とで形成される吸収体３の曲面が着用者の股下のカーブ（横断面主曲率Ｊ１）に沿ってフィットする。なお、図４では吸収体３の変形の理解のため、表面シート１及び裏面シート２を省略して示した。
【００１８】
スリット部３８は、装着時の吸収体の可撓軸となるよう、吸収体の厚みが他の部分よりも薄くされた部分である。具体的には、積繊体３６の吸収材料を部分的に欠いた部分であり、非貫通の溝であってもよく、吸収材料のない貫通孔であってもよい。前述の折れ曲がりが確実に生じ、この折れ曲がり応力の中央吸収体への波及をできるだけ抑える観点から、貫通孔であることが好ましい。なお、非貫通の溝である場合、側部吸収体３２の山折り変形となるよう、積繊体３６の肌当接面側から非肌当接面側へと窪んだ溝であることが好ましい。この場合、コアラップシート３７には、積繊体３６の窪みに沿って窪んでいることが可撓性の観点から好ましい。上記のような形態のスリット部３８は、通常用いられる方法により形成することができる。また、スリット部３８は、切込み線であってもよく、所定幅を有する溝であってもよい。また、スリット部３８は、積繊体３６の吸収材料の切欠きに加え、コアラップシート３７の切込みから構成されるものであってもよい。これにより可撓部としての機能がより高まる。
【００１９】
このようにスリット部３８は、吸収体３の他の部分よりも相対的に坪量の低い部分であるため、液吸収機能は低い。そのため、肌を伝う液流れを防止する観点からスリット部３８を積極的に肌に密着させない方が好ましく、スリット部３８においては表面シート１と裏面シート２との間に弾性体が存在しないことが好ましい。
【００２０】
また、上記のような側部吸収体３２の折れ曲がりを可能とする観点から、股下部Ｃにおける中央吸収体３１の幅方向長さ（Ｓ１）は、最も狭いところで、４０ｍｍ以上が好ましく、４５ｍｍ以上がより好ましい。また、前記の幅方向長さ（Ｓ１）は、着用者の股下へのおさまりの観点、すなわち装着時において、着用者の股下の狭い空間に、幅方向でもたつかずに入るようにする観点から、１００ｍｍ以下が好ましく、７０ｍｍ以下がより好ましい。
各側部吸収体３２の幅方向長さ（Ｓ２）は、中央吸収体３１の幅方向長さ（Ｓ１）に対する比（Ｓ２／Ｓ１）として、０．５以上が好ましく、０．８以上がより好ましく、１．０以上が更に好ましい。また、この比（Ｓ２／Ｓ１）は、フィット性の観点から、２．０以下が好ましく、１．５以下がより好ましく、１．３以下が更に好ましい。
【００２１】
上記のスリット部３８に加えて、側部弾性体４が、側部吸収体３２の厚み方向における裏面側に長手方向に沿って伸長状態で配されている。すなわち側部弾性体４は股下部Ｃの両側で長手方向に沿って配されている。また、側部弾性体４が配された領域において、側部吸収体３２から裏面シート２までが厚み方向で接着され、側部吸収体３２と裏面シート２とが面状に一体化されている。具体的には、側部吸収体３２の非肌面３２Ｂ全体とこれと重なる裏面シート２の所定領域とが、ホットメルト接着剤等の接着手段により接合され、両部材が一体化されている（図２参照）。これにより側部弾性体４の弾性伸縮力が側部吸収体３２とこれに対向する裏面シート２の所定部分の全体に波及するようにされている。このとき本実施形態では、側部弾性体４が側部吸収体３２と裏面シート２との間に介在している。ただし、側部弾性体４の配置は本実施形態のものに限定されるものでなく、一体化された側部吸収体３２及び裏面シート２に側部弾性体３２の収縮力が伝わる形態を種々採用できる。例えば、側部弾性体３２が、側部吸収体３２に対応する裏面シート２の非肌当接面側に接合される形態でもよい。また、他の部材が介在する形態であってもよい。このような配置の側部弾性体４は、図１に示す本実施形態においては、各側部吸収体３２に対して２本ずつ配置している。ただし、配置本数はこれに限定されるものでなく、適宜変更できる。
【００２２】
前記接着手段は、この種の物品において通常用いられるものを特に制限なく用いることができる。例えば、ホットメルト接着剤の具体例としては、オレフィン系、ゴム系、エチレン−酢酸ビニル共重合体（ＥＶＡ）系が挙げられる。また、ホットメルト接着剤の塗布方法としては、コーター塗布、スプレー塗布、ビード塗布等、この種の物品に用いられる各種の塗布方法を採用できる。また、塗布パターンは、連続塗布でもよく、スパイラル状またはΩ字状、サミット状など隙間のある塗工パターンでもよい。
【００２３】
また、側部弾性体４の弾性伸縮力は、上記の一体化により、尿とりパッド１０の、側部吸収体３２が存在する領域全体を着用者の肌側に押し上げる作用をする（図４の矢印Ｐ１）。すなわち、前述のように尿とりパッド１０の装着時において、着用者の大腿部が側部吸収体３２を幅方向内方へと押圧する圧力が生ずる（図４の矢印Ｇ１方向の圧力）のに対し、側部弾性体４が前記押圧方向と反対方向に側部吸収体３２を押し上げて対抗する（図４の矢印Ｐ１方向の押し上げ）。その結果、山折りの斜面となる側部吸収体３２が表面シートを押し上げながら裏面シート２とともに立ち上がり、側部吸収体３２のある領域が着用者の大腿部の内側に密着する。このような密着は、側部吸収体３２の弾性収縮力によって着用者の体勢変化に追従して発現し、大腿部と側部吸収体３２との間に隙間が生じ難くなる。
これにより、股下部Ｃで、側部吸収体３２の液吸収性能を余すことなく活用して、着用者の肌面や尿とりパッド１０の表面を流れる液を漏らさずに吸収保持することができる。特に、介護度の高い高齢者などの場合、褥瘡防止のため側臥位としたときにその側臥位の傾きに沿って尿が流れても、しっかりと吸収して液の横漏れを防ぐ。また、尿とりパッド１０の装着時に、寝たきりの人に対して適切な位置決めができずズレたままとなる場合や、装着中に位置ズレが生じる場合でもしっかりと吸収して液の横漏れを防ぐ。それゆえ長時間でも安心して装着し続けることができる。特に夜間就寝中の装着において、尿漏れによる寝床の濡れを防ぐことができて着用者の安眠に貢献する。またこのことが介護者の夜間の介護の負担を軽減する。
【００２４】
これに加え、中央吸収体３１は、側部吸収体３２よりも厚みが厚くされている。この厚みは、スリット部３８で区切られた中央吸収体３１全体に形成され、股下部Ｃから排泄ポイントＣ１のある位置まで及んでいる。これにより、吸収体３の排尿ポイントＣ１が着用者の排泄部に当たり、隙間が生じるのを防ぐ。特に、側部弾性体４による側部吸収体３２を引き上げる力は、両側から中央吸収体３１を肌から引き離す力として働く場合がある。この場合でも、前記の厚みにより、中央吸収体３１と着用者の排泄部とに隙間が生じないようにすることができる。これにより、中央吸収体３１が排尿時に液を直接吸収保持して、側部吸収体３２への液流れ量を低減できる。
この中央吸収体３１の厚みは、従来の吸収体に対して吸収材料を増量させたものではなく、その配分を変更してなされたものである。すなわち、吸収体３を従来よりも有効に活用できる配分としたものである。この配分変更は、前述のスリット部３８と側部弾性体４による着用者の股下へのフィット性を高めたことにより実現できたものである。これにより、吸収体３全体を効率よく使うことができ、吸収性材料の減量も可能となる。その際、相対的に中央吸収体を厚くすると、フィット性を更に改善できる。これは、従来の吸収性パッドでは実現できなかったことである。
【００２５】
この中央吸収体３１の厚みの作用と、側部吸収体３２に対する側部弾性体４の作用との組み合わせが、股下部Ｃにおける液流れと液漏れをより確実に防止する。その結果、前述したような側臥位の姿勢の場合でも、また位置ズレがあっても、長時間安心して装着し続けることが可能となる。また、上記の組み合わせが、吸収材料の配分の最適化をして着用者の股下部分のごわつきを抑える。
【００２６】
上記の厚みの測定は次のようにして行うことができる。すなわち、製品としての吸収性パッドにコールドスプレーを吹きかけてホットメルトを固化させ、丁寧に各部材を剥がし、吸収体を取り出す。そして取り出した吸収体を、０．２５ｋＰａ荷重で測定する。
中央吸収体３１の厚み（Ｈ１）は、側部吸収体３２の厚み（Ｈ２）に対する比（Ｈ１／Ｈ２）として、１．１以上が好ましく、１．２以上がより好ましい。また、この比（Ｈ１／Ｈ２）は、穿き心地の観点から、３．５以下が好ましく、３．０以下がより好ましい。なお、中央吸収体３１の厚み（Ｈ１）とは、中央吸収体３１のなかで最も厚みある部分の厚みであり、側部吸収体３２の厚み（Ｈ２）とは、側部吸収体３２のなかで最も厚みの薄い部分の厚みのことである。
【００２７】
さらにこの尿とりパッド１０では、液溜まりしやすい吸収体３の後方部Ｒにおいては、スリット部３８の後方端部３８Ｒは吸収体３の後方端部Ｒ１よりも前方側に位置している。すなわち、スリット部３８は吸収体３の後方端部Ｒ１までには達していない構成である。そのため吸収体３の後方部Ｒには、幅方向に連続した部分３３（以下、後方連続部３３ともいう。）が残る。これにより、後方部Ｒでは液吸収能がスリット部３８で妨げられずその吸収性能を最大限活用することができる。排泄液を吸収体内で幅方向に拡散させて、広い面で吸収保持することができる。すなわち、表面シート１を厚み方向に通り過ぎた液が、吸収体内部においてスリット部を流れ、最後に辿り着く吸収体３の後方部Ｒで確実に吸収できる。特に着用者が寝たきりの場合に液溜りが生じやすいので、上記のような液吸収は液漏れ防止の観点から効果的である。
また、スリット部３８の後方端部３８Ｒが吸収体３の後方端部Ｒ１よりも前方側に位置していることで、スリット部３８を可撓軸とした側部吸収体３２の山折り変形が後方部Ｒで抑制的となる。これにより、吸収体３の後方部Ｒは、皺やよれが抑えられ、着用者の臀部のゆるやかな凸曲面に沿いやすくフィット性が高まる。これらの結果として、吸収体３の後方部Ｒの厚みを不要に厚くせずとも吸収性能を有効に活用でき、臀部側の穿き心地を良好なものとすることができる。この臀部へのフィット性が上がることで液が中央吸収体３１において効率的に吸収されることとなる。これにより、肌を伝う液が少なくなり、肌伝いした液が側部吸収体３２へ過度に流れる事態を防ぐことができる。加えて、上記のフィットにより、臀部側での表面シート１と肌との距離が狭いため、液の毛管作用のような現象が生じる。そのため、液がこの狭い隙間を伝って、表面材上を臀部方向（長手方向）流れやすくなる。もし尿とりパッドと臀部がフィットしていない場合、毛管現象が起きないため、液は肌を伝って重力方向（横方向）に流れてしまう。しかし、本実施形態の尿とりパッド１０では、臀部側のフィット性により、このような液の横流れをも防いで後方部Ｒでの効率的な液吸収を実現する。
【００２８】
上記に規定する配置関係において、スリット部３８の後方端部３８Ｒは後方部Ｒ内に存在してもよいが、臀部が配置される後方部Ｒに液が集中しやすい。そこで、後方部Ｒの吸収容量を確保する観点から、スリット部３８の後方端部３８Ｒは後方部Ｒに延出していない方が好ましい。さらに、股下部Ｃの臀部側の吸収容量も確保する観点で、スリット後方端部３８Ｒは吸収体３の股下部Ｃと後方部Ｒとの境界Ｌ２よりも前方側に位置することがさらに好ましい。同様の観点から、スリット部３８の、吸収体３の前方部Ｆと股下部Ｃとの境界Ｌ１から股下部Ｃにおける該スリット部３８の後方端部３８Ｒまでの延出長さ（Ｔ１）は、吸収体３の股下部Ｃの長手方向の長さ（ＴＣ）に対する比（Ｔ１／ＴＣ）として、８５％以下が好ましく、８０％以下がより好ましく、８０％以下が更に好ましい。また、太もも周りへのフィット性の観点から、６０％以上が好ましく、６５％以上がより好ましく、７０％以上が更に好ましい。
【００２９】
上記のスリット部３８、側部弾性体４、及び厚みのある中央吸収体３１の組み合わせにより、尿とりパッド１０は、穿き心地を低下させずに吸収体全体の吸収性能を有効活用でき、横向き吸収量が向上したものとなる。ここで「横向き吸収量」とは、着用者が左右のいずれかの側に側臥位の姿勢をとることで尿等が一方の側に集中する状態で、吸収可能な液量を意味する。この場合の側臥位の角度は、特に限定されず液が一方の側に流れる程度の角度である。典型的には３０度以上である。
【００３０】
また、この尿とりパッド１０において、側部弾性体４は、側部吸収体３２の股下部Ｃにおける幅方向中間領域３２Ｍを通るように配されることが好ましい（図２参照）。これにより、側部吸収体３２は、よれずに着用者の大腿部に面状に効率よく当接し、流れてくる尿等を確実に捉えて吸収保持することができる。上記の幅方向中間領域３２Ｍとは、股下部Ｃにおいて、スリット部３８によって区画される側部吸収体３２の最も幅の広い部分における幅方向の中間位置及びその近傍を意味する。中間位置の近傍とは該中間位置から１５ｍｍ以内の範囲を意味する。この中間領域３２Ｍに沿って長手方向に延設される限り、該スリット部３８と側部弾性体４とが交差する部分があってもよい。
【００３１】
さらに、後方部Ｒにおいて、側部弾性体４が股下部Ｃから連続して延在していることが好ましい。これに加えて、側部弾性体４の後方端部４Ｒがスリット部３８の後方端部３８Ｒよりも後方側に位置することが好ましい。この配置が、スリット部３８を可撓軸とした側部吸収体３２の山折り変形を後方部Ｒで解消し、吸収体３の後方部Ｒの両側を着用者の臀部に沿わせやすくする（図４の矢印Ｐ２）。これにより、液が溜まりやすい吸収体３の後方部Ｒは、皺やよれが抑えられ、着用者の背側のゆるやかな凸曲面へのフィット性がさらに高まる。この凸曲面は、全体として、股下から臀部のふくらみを介して腰部に至る凸曲面である。すなわち、前述した股下における身幅方向の横断主曲率Ｊ１よりも、前後方向の縦断主曲率Ｊ２が強く現れる凸曲面である。この縦断主曲率Ｊ２からなる凸曲面に対し、吸収体３の後方部Ｒは、臀部の丸みに沿って全体が凸状に湾曲することが好ましく、そのため上記の配置とすることが好ましい。これにより、側部吸収体３２がさらに肌に沿いやすくフィットするため、スリットに沿って流れてきた液を効率的に吸収することができる。そして、このフィット性のさらなる向上により、前述した臀部側での液の毛管作用のような現象が促進され、液の横流れ防止性がさらに高まる。
【００３２】
一方、吸収体３の前方部Ｆにおいて、前述の厚み（Ｈ１）を有する中央部吸収体３１は、排泄ポイントＣ１を超えた前方部Ｆまで延設されることがより好ましい。すなわちスリット部３８もまた吸収体３の股下部Ｃから排泄ポイントＣ１を超えた前方部Ｆまで延設されることがより好ましい。これにより、股下部Ｃから前方部Ｆに至る中央吸収体３１が、側部吸収体３２の山折り変形とは独立した可撓性を示し、着用者の排尿部含めた下腹部の広い範囲に密着する。その結果、腹側からの液漏れを防止する。前方部Ｆにおけるスリット部３８及び中央吸収体３１の延設長さは特に制限されるものではない。液漏れ防止性や肌へのフィット性の観点から、スリット部３８の前方端部３８Ｆ（中央吸収体の前方端部）は、吸収体３の前方部Ｆの前方端部Ｆ１には到達していないことが好ましい。また、スリット部３８（及び中央吸収体３１）の、境界Ｌ１から前方部Ｆにおける前方端部３８Ｆまでの長手方向の延出長さ（Ｔ２）は、吸収体３の前方部Ｆの長手方向の長さ（ＴＦ）に対する比（Ｔ２／ＴＦ）として、１５％以下が好ましく、１２％以下がより好ましく、１０％以下が更に好ましい。これにより、前方部Ｆの吸収性能を落とさずに済む。また、前記比（Ｔ２／ＴＦ）は、股下から鼠蹊部にかけてのフィット性の観点から、２％以上が好ましく、３％以上がより好ましく、５％以上が更に好ましい。
【００３３】
また、前方部Ｆには、側部弾性体４が存在しないことが好ましい。すなわち、側部弾性体４の前方端部４Ｆは、吸収体３の前方部Ｆと股下部Ｒとの境界Ｌ１よりも後方側に位置することが好ましい。これにより、側部弾性体４の弾性収縮力による側部吸収体３２の押し上げ作用が中央吸収体３１に波及するのを防ぎ、着用者の排尿部へのフィット性を高め安定化できる。
また、側部弾性体４の前方端部４Ｆは、スリット３８の前方端部３８Ｆよりも後方側に位置することが好ましい。これにより、スリット部３８の延設範囲に合わせて形成された中央吸収体３１の着用者の排尿部に対するフィット性を向上させることができる。具体的には、側部弾性体４により吸収体３が大腿部に押されて排泄ポイントＣ１付近の中央吸収体３１が浮いてしまうことを防ぎ、フィット性が向上させられる。
【００３４】
加えて吸収体３においては、中央吸収体３１の裏面側に中央弾性体５が長手方向に沿って伸長状態で配されていることが好ましい。図１に示す本実施形態においては、中央弾性体５は中央吸収体３１に対して４本（２本１組で計２組）配置している。ただし、配置本数はこれに限定されるものでなく、適宜変更できる。
この中央弾性体５の弾性伸縮力が、図５の矢印Ｐ３で示すように、前述の中央吸収体３１の厚みによる肌（特に排尿部）へのフィット性をさらに高めることができる。そのため股下部Ｃを中心に長手方向に沿って配されていることが好ましい。中央弾性体５による中央吸収体３１への作用と、側部弾性体４による側部吸収体３２への作用とは、スリット部３８によって互いに干渉するとなく発現することとなる。これにより、着用者の股下における排尿部を含めた前後方向の肌曲面（下方に凸となる曲面）へのフィット性がさらに高まり、肌を伝う液流れの防止性がさらに高まる。なお、図５では吸収体３の変形の理解のため、表面シート１及び裏面シート２を省略して示した。
【００３５】
中央弾性体５は、前方部Ｆにおいて、股下部Ｃから連続して延在していることが好ましい。少なくとも前方部Ｆの排泄ポイントＣ１を覆う範囲に延在していることが好ましい。前方部Ｆにおいて、中央弾性体５の延設長さは特に制限されるものではない。中央弾性体５は、液漏れ防止性や肌へのフィット性の観点から、前述の中央吸収体３１に合わせた長さとすることが好ましく、吸収体３の前方部Ｆの前方端部Ｆ１には到達していないことが好ましい。さらに、着用者の排尿部へのフィット性と前方部Ｆからの液漏れを防止する観点から、中央弾性体５の前方端部５Ｆは、側部弾性体４の前方端部４Ｆよりも前方側にあることが好ましい。これにより、側部弾性体４の作用が及ばない領域で、中央弾性体５の弾性伸縮力を発現させて中央吸収体３１を肌にぴったりとフィットさせることができる。特に、側臥位などで腹部回りの肌面や吸収体に変形が生じ、肌と吸収体との間に隙間が生じかねない状態でも、中央弾性体５によって中央吸収体３１が肌に追従してフィットする。また、寝返りを打つ場合や、起き上がって動く場合でも、中央弾性体５によって中央吸収体３１が追従してフィットする。
【００３６】
また、中央弾性体５は、後方部Ｒには存在しないことが好ましい。すなわち、中央弾性体５の前方端部５Ｆは吸収体の後方部Ｒと股下部Ｒとの境界Ｌ２より前方側に位置することが好ましい。これにより、臀部付近の吸収体３のヨレの発生を防ぎ、前述の側部弾性体４による着用者の臀部のゆるやかな凸曲面へのフィット性が保持されて液漏れが防止される。また、中央弾性体５を後方部Ｒに存在させないことで、臀裂付近への過度な締め付けを回避して履き心地の低下を防止することができる。
【００３７】
本実施形態において、スリット部３８の平面形状は直線状として示したが、中央吸収体３１と側部吸収体３２とを幅方向に区分し上記の作用を奏するものであればこれに限定されない。例えば、全体として、長手方向に延出する曲線状であってもよく、直線状の一部に曲線状の部分を含むものであってもよい。直線状に曲線状の部分を含むものとしては、例えば、図６に示すように、スリット部３８が前方側で幅方向外方に向かって延びているものなどが挙げられる。またこの曲線において、スリット部３８の先端が吸収体３の側縁にまで到達する、すなわち、側部吸収体３２の前方先端が吸収体３から分離しているものであってもよい。このようにスリット部３８に曲線部分が含まれる場合、側部吸収体３２における中間領域３２Ｍは、前述のとおり、最も幅の広い部分における幅方向の中間位置およびその近傍である。図６の態様の場合、符号３２Ｍで示すとおり、スリット部３２が直線となっている部分での側部吸収体３２の中間位置およびその近傍である。この中間領域３２Ｍを長手方向に沿って側部弾性体４が配されることが好ましい。
【００３８】
また、本実施形態の吸収体３は１層からなるものとして示したが、上記の作用を奏する限りこれに限定されず複数層からなるものであってもよい。例えば、図７、８及び９に示すように、スリット部３８を備えた上層吸収体８１と下層吸収体８２との２層構造であってもよい。吸収体３が複数層からなる場合の中央吸収体３１及び側部吸収体３２の厚みはそれぞれ、上層吸収体８１と下層吸収体８２とを合わせた厚みのことである。またこの場合のスリット部３８は、前述のとおり、側部吸収体３２が山折りされるよう装着時の吸収体の可撓軸となる形態を種々採用できる。例えば、図７及び８のように上層吸収体８１にのみある場合に限らず、図９のように上層吸収体８１及び下層吸収体８２の両方に設けて互いに連通するようにしていてもよい。
【００３９】
吸収体３が複数層からなる場合、側部弾性体４が配置される「側部吸収体の厚み方向における裏面側」の「裏面」とは、側部吸収体３２の最下面（非肌面）である。典型的には裏面シート２に対向する面のことである。例えば図８及び９のように、側部吸収体３２で側部弾性体４が配置される部分が上層吸収体８１と下層吸収体８２の２層からなる場合、下層吸収体８２の非肌面８２Ｂのことである。しかし、図７に示す態様では、下層吸収体８２は、上層吸収体８１よりも幅狭で、スリット部３８，３８を覆いつつも、側部吸収体３２が配置される「側部吸収体３２の幅方向中間領域３２Ｍ」には達しない幅とされている。この場合、側部弾性体４が配置される「側部吸収体の厚み方向における裏面側」の「裏面」とは、側部吸収体３２を構成する上層吸収体８１の非肌面８１Ｂのことである。上層吸収体８１の非肌面８１Ｂ側に側部弾性体４が配され、裏面シート２との間で挟持されて接合される。なお、この態様における、側部吸収体３２の厚みは、最も厚みのある上層吸収体８１と下層吸収体８２とが重なる部分での厚みである。
【００４０】
また吸収体３が複数層からなる場合、「側部弾性体４が配された領域で側部吸収体３２から裏面シート２まで厚み方向で接着」する際の「側部吸収体３２」は、スリット部３８の位置から幅方向外方に存在する上層吸収体８１及び下層吸収体８２全体をいう。側部吸収体３２をなすすべての層が裏面シート２と厚み方向で接着され一体される（図示せず）。このとき、側部弾性体４が介在している。接着により一体される限り他の部材が介在していてもよい。
【００４１】
また、本実施形態の吸収体３の平面形状は、股下部Ｃと前方部Ｆとが同一幅で、後方部Ｒが幅広とする形態であるが、上記の作用を奏する限りこれに限定されるものではない。例えば、前方部Ｆが股下部Ｃよりも幅広の形態であってもよい。
【００４２】
本実施形態で示した尿とりパッド１０には、図１０に示すように、肌当接面側にさらに防漏性の立体ギャザー部６，６が形成されていてもよい。この立体ギャザー部６は、撥水性のサイドシート６１と立体ギャザー用弾性体６２とで形成される。具体的には、表面シート１の肌当接面側の両側にサイドシート６１，６１を配し、その幅方向内方の自由端部に立体ギャザー用弾性体６２，６２を長手方向に伸長状態で固定して形成される。これにより尿等の液の股下からの横漏れ防御性をさらに高められる。なお、図１０示す態様で用いた吸収体３は、図１に相当する１層からなるものである。しかし、これに限らず複数層からなる吸収体であってもよい。例えば、前述した図７〜９に示す吸収体を採用してもよい。
【００４３】
本発明の吸収性パッドに用いられる各構成部材の形成材料としては、この種の物品に採用されるものを特に制限なく用いることができる。
例えば、表面シート１は、排泄された体液を速やかに吸収し、吸収体に伝達する観点と肌触りのよさの観点とから親水性のサーマルボンド不織布が好ましく、特にエアスルー不織布が好ましい。表面層１は親水化処理された熱可塑性樹脂繊維であり、かつ、該繊維が２次クリンプ又は３次クリンプのような立体捲縮がなされた繊維であることが好ましい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、当業者公知の親水化剤による親水化処理を用いることができる。
【００４４】
裏面シート２としては、非肌当接面側で液漏れを防ぐ観点から、液難透過性の素材からなることが好ましい。また、ムレ防止の観点から透湿性を有することが好ましい。前記液難透過性とは、液を透過させにくい性質を意味し、防水性、撥水性及び液不透過性を含む。具体的には、疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高〜低密度ポリエチレン、線状低密度ポリエチレン、ポリプロピレン等が挙げられ、これらを単独で又は混合して用いることができる。
【００４５】
吸収体３としては、尿等の排泄物を吸収できるものと特に制限なく採用することができる。例えば、親水性繊維の積繊体又は該親水性繊維と高吸水性ポリマーとの混合物の積繊体を、親水性のコアラップシートで被覆したものなどが挙げられる。
親水性繊維としては、例えば、木材パルプ、コットン、麻などの天然繊維、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成繊維からなる繊維を用いる場合、該繊維は熱によって形状が変化する熱収縮繊維であってもよい。例えば、熱によって繊度は大きくなるが繊維長は短くなるものや、熱によって繊度はほとんど変化しないが、形状がコイル状に変化することでみかけの繊維の占有する長さが短くなるものであってもよい。
高吸水性ポリマーとしては、この種の物品に通常使用されている各種のポリマー材料を用いることがでる。高吸水性ポリマーは、自重の２０倍以上の水又は生理食塩水を吸収し保持し得る性能を有するような超吸収性高分子化合物であることが好ましい。
【００４６】
前記コアラップシートとしては、例えば、親水性のティッシュペーパー等の薄手の紙（薄葉紙）、クレープ紙、コットンやレーヨンなどの親水性繊維からなる不織布、合成樹脂の繊維に親水化処理を施してなる不織布、例えばエアスルー不織布、ポイントボンド不織布、スパンレース不織布、スパンボンド不織布、スパンボンド−メルトブローン−スパンボンド（ＳＭＳ）不織布等からなるものを用いることができる。
なお、吸収体３が複数層からなる場合、各層の積繊体ごとに別々のコアラップシートで被覆してもよく、全ての層を積層させて１枚のコアラップシートで被覆してもよい。
【００４７】
側部弾性体４及び中央弾性体５としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。形態としては、断面が矩形、正方形、円形、多角形状等の糸状ないし紐状（平ゴム等）のもの、もしくはマルチフィラメントタイプの糸状のもの等を用いることができる。
【００４８】
サイドシート６１としては、撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）、スパンボンド−メルトブローン−メルトブローン−スパンボンド（ＳＭＭＳ）、スパンボンド−スパンボンド−メルトブローン−スパンボンド（ＳＳＭＳ）不織布等が用いられる。また、サイドシート６１に配される立体ギャザー用弾性体６２は、側部弾性体４や中央弾性体５と同様のものを用いることができる。
【００４９】
本発明の吸収性パッドは、上記の実施形態の尿とりパッドに制限されるものではなく、種々のものに適用できる。例えば、生理用ナプキンやパンティライナ等に適応することができる。なお吸収性物品の構成部材として他にも用途や機能に合わせ適宜部材を組み込んでもよい。
【００５０】
上述した実施形態に関し、本発明はさらに以下の吸収性物品を開示する。
【００５１】
＜１＞
肌当接面側の表面シート、非肌当接面側の裏面シート、及び該表面シートと裏面シートとの間に介在配置された液保持性の吸収体を有し、着用者の腹側から股下を介して背側に亘って配される方向を長手方向、該長手方向と直交する方向を横方向とする吸収性パッドであって、
前記吸収体を長手方向に、前方部、股下部及び後方部と区分した際に、該吸収体には、吸収材料を部分的に欠いたスリット部が２本以上、前記股下部を中心に長手方向に配されており、該スリット部に挟まれた中央吸収体と、該スリット部の外側に位置する側部吸収体を備え、
側部弾性体が前記股下部に存在し、該側部弾性体は、前記側部吸収体と前記裏面シートとの間に、又は、前記側部吸収体に対応する前記裏面シートの非肌当接面側に長手方向に沿って接着されて配されており、
前記中央吸収体は前記側部吸収体よりも厚みが厚く、前記スリット部の後方端部は前記吸収体の後方端部より前方側に位置している吸収性パッド。
【００５２】
＜２＞
前記スリット部は前記吸収体の後方端部までには達していない前記＜１＞に記載の吸収性パッド。
＜３＞
前記側部弾性体の前方端部は、前記吸収体の前方部と股下部との境界よりも後方側に位置する前記＜１＞又は＜２＞に記載の吸収性パッド。
＜４＞
前記側部弾性体は前記前方部には存在しない前記＜１＞又は＜２＞に記載の吸収性パッド。
＜５＞
前記後方部において、前記側部弾性体が前記股下部から連続して延在し、かつ、前記側部弾性体の後方端部が前記スリット部の後方端部よりも後方側に位置する前記＜１＞〜＜４＞のいずれか１に記載の吸収性パッド。
＜６＞
前記スリット部においては、表面シートと裏面シートとの間に弾性体が存在しない前記＜１＞〜＜５＞のいずれか１に記載の吸収性パッド。
＜７＞
前記側部弾性体は、前記側部吸収体の股下部における幅方向中間領域を通る前記＜１＞〜＜６＞のいずれか１に記載の吸収性パッド。
＜８＞
前記中央吸収体の裏面側に中央弾性体が配されている前記＜１＞〜＜７＞のいずれか１に記載の吸収性パッド。
＜９＞
前記中央弾性体の後方端部は、前記吸収体の後方部と股下部Ｒとの境界よりも前方側に位置する前記＜８＞に記載の吸収性パッド。
＜１０＞
前記中央弾性体は前記後方部には存在しない前記＜８＞に記載の吸収性パッド。
＜１１＞
前記中央弾性体は前記前方部まで連続して延在している前記＜８＞〜＜１０＞のいずれか１に記載の吸収性パッド。
＜１２＞
前記側部弾性体の前方端部が前記スリット部の前方端部よりも後方側に位置する前記＜１＞〜＜１１＞のいずれか１に記載の吸収性パッド。
【００５３】
＜１３＞
前記股下部における幅方向長さ（Ｓ１）は、最も狭いところで、４０ｍｍ以上が好ましく、４５ｍｍ以上がより好ましく、前記の幅方向長さ（Ｓ１）は、１００ｍｍ以下が好ましく、７０ｍｍ以下がより好ましい、前記＜１＞〜＜１２＞のいずれか１に記載の吸収性パッド。
＜１４＞
前記の各側部吸収体の幅方向長さ（Ｓ２）は、中央吸収体３１の幅方向長さ（Ｓ１）に対する比（Ｓ２／Ｓ１）として、０．５以上が好ましく、０．８以上がより好ましく、１．０以上が更に好ましく、前記比（Ｓ２／Ｓ１）は、２．０以下が好ましく、１．５以下がより好ましく、１．３以下が更に好ましい、前記＜１＞〜＜１３＞のいずれか１に記載の吸収性パッド。
＜１５＞
前記中央吸収体の厚み（Ｈ１）は、前記側部吸収体の厚み（Ｈ２）に対する比（Ｈ１／Ｈ２）として、１．１以上が好ましく、１．２以上がより好ましく、前記比（Ｈ１／Ｈ２）は、３．５以下が好ましく、３．０以下がより好ましい、前記＜１＞〜＜１４＞のいずれか１に記載の吸収性パッド。
＜１６＞
前記スリット部の後方端部は、前記吸収体の後方部には延出していないことが好ましく、前記吸収体の前記股下部と後方部との境界よりも前方側に位置することが好ましい、前記＜１＞〜＜１５＞のいずれか１に記載の吸収性パッド。
＜１７＞
前記スリット部の、前記吸収体の前方部と股下部との境界から股下部における該スリット部の後方端部までの延出長さ（Ｔ１）は、前記吸収体の股下部の長手方向の長さ（ＴＣ）に対する比（Ｔ１／ＴＣ）として、８５％以下が好ましく、８０％以下がより好ましく、８０％以下が更に好ましく、前記比（Ｔ１／ＴＣ）は、６０％以上が好ましく、６５％以上がより好ましく、７０％以上が更に好ましい、前記＜１＞〜＜１６＞のいずれか１に記載の吸収性パッド。
＜１８＞
前記吸収体の前方部において、前記中央部吸収体は、排泄ポイントを超えた前方部まで延設されることが好ましく、前記スリット部３８は、前記吸収体の股下部から排泄ポイントを超えた前方部まで延設されることがより好ましい、前記＜１＞〜＜１７＞のいずれか１に記載の吸収性パッド。
＜１９＞
前記スリット部の、前記吸収体の前方部と股下部との境界から前方部における該スリット部の前方端部までの長手方向の延出長さ（Ｔ２）は、前記吸収体の前方部の長手方向の長さ（ＴＦ）に対する比（Ｔ２／ＴＦ）として、１５％以下が好ましく、１２％以下がより好ましく、１０％以下が更に好ましく、前記比（Ｔ２／ＴＦ）は、２％以上が好ましく、３％以上がより好ましく、５％以上が更に好ましい、前記＜１＞〜＜１８＞のいずれか１に記載の吸収性パッド。
＜２０＞
前記中央弾性体は、前記吸収体の前方部における前方端部には到達していない前記＜１＞〜＜１９＞のいずれか１に記載の吸収性パッド。
＜２１＞
前記中央弾性体の前方端部は、前記側部弾性体の前方端部よりも前方側にある前記＜１＞〜＜２０＞のいずれか１に記載の吸収性パッド。
＜２２＞
前記スリット部の平面形状は、前方部の先端が幅方向外方に向かって延びている前記＜１＞〜＜２１＞のいずれか１に記載の吸収性パッド。
【実施例】
【００５４】
以下、本発明を実施例に基づきさらに詳しく説明するが、本発明はこれにより限定して解釈されるものではない。なお、本実施例において組成を示す「部」および「％」とは特に断らない限りいずれも質量基準である。
【００５５】
（実施例１）
花王株式会社社製「リリーフパワフル尿とりパッドワイドロング」（商品名、２０１４年製）において、２本のスリット部を有する吸収体に対し、左右の側部吸収体の裏面側に側部弾性体を２本ずつ長手方向に沿って伸長状態で配置し、該裏面シートとスパンボンド不織布とをホットメルト接着剤を用いて接着し一体化した。同時に、中央吸収体の裏面側に中央弾性体を２本１組にして２組幅方向に並列させて長手方向に沿って伸長状態で配置したほかは、側部弾性体と同様とした。その際、ホットメルト接着剤は、坪量１０ｇ／ｃｍ２としてスパイラルパターンで塗布した。
側部弾性体４は、図１１（ｉ）の模式図のように、股下部Ｃにおける幅方向中間領域において股下部Ｃから後方部Ｒまで連続して配設した。したがって、側部弾性体は前方部Ｆには配さなかった。中央弾性体５は、図１１（ｉ）の模式図のように、股下部Ｃから前方部Ｆまで連続して伸長状態で配設した。スリット部３８は、股下部Ｃを中心に長手方向に沿って前方部Ｆの排泄ポイントのあたる位置まで配されており、一方、後方部Ｒには延設させず股下部Ｃに止まるように形成した。前方部Ｆでの中央弾性体の延設長さは、前記境界Ｌ１から長手方向に９０ｍｍとした。該中央弾性体は後方部Ｒには延設させなかった。なお、中央吸収体の厚み（Ｈ１）は８．５ｍｍであり、側部吸収体の厚み（Ｈ２）は３．１ｍｍであった。
上記のようにして、実施例１の尿とりパッドの試験体を得た。
【００５６】
（実施例２）
側部弾性体の配置位置を、図１１（ｉｉ）の模式図のように、幅方向中間領域ではなく幅方向の端縁側に配置し、長手方向の前方部Ｆまで延設させた以外は、実施例１と同様にして実施例２の尿とりパッドの試験体を得た。なお、前方部Ｆでの側部弾性体の延設長さは、前記境界Ｌ１から長手方向に９０ｍｍとした。
【００５７】
（実施例３）
側部弾性体の配置位置を、図１１（ｉｉｉ）の模式図のように、幅方向中間領域ではなく幅方向の端縁側に配置した以外は、実施例１と同様にして実施例３の尿とりパッドの試験体を得た。
【００５８】
（実施例４）
側部弾性体の配置位置を、図１１（ｉｖ）の模式図のように、幅方向中間領域ではなく幅方向の端縁側に配置し、長手方向において後方部Ｒには延設させなかった、すなわち股下部Ｃのみに配設した以外は、実施例１と同様にして実施例４の尿とりパッドの試験体を得た。
【００５９】
（実施例５）
図１１（ｖ）の模式図のように、中央弾性体を配設しなかった以外は、実施例１と同様にして実施例５の尿とりパッドの試験体を得た。
【００６０】
（比較例１）
図１１（ｖｉ）の模式図のように、側部弾性体及び中央弾性体を配置せず、中央吸収体及び側部吸収体の厚みを同じとした以外は実施例１と同様にして比較例１の試料を作製した。
【００６１】
（吸収量の評価方法）
この評価試験には、外部から液を送ることができ、排尿部に相当する位置（排泄点）Ｅ１から試料に液を注入できる人体モデル（大人用モデル）Ｗを用いた。
まず、人体モデルＷを仰向け状態にし、上記の各尿とりパッドの試料１０を装着した。その際、図１２（ｉ）に示すように、試料１０の前方端部１０Ｗの位置を正常な位置Ｋとなるようにして装着した。前記の「正常な位置」とは臀部を後方部Ｒに配置した後、前方部Ｆを身体とパッドに隙間ができないように引き当てた場合のパッド前端位置のことである。その位置から、装着時のパッドのズレを想定して、試料１０の前端を排尿点Ｅ１側へ平行移動（符号２１０）させた。その結果、図１２（ｉｉ）に示すように、試料１０の前方端部１０Ｗの位置を正常な位置Ｋから３ｃｍ程（符号２２０）ずらした。このとき人体モデルの股下と試料の股下部との間に隙間１０Ｇができた。この状態で、人体モデルＷの腹側ＷＦ（排泄点Ｅ１に近い側）及び背側ＷＲにおいて、粘着テープ２００を用いて試料１０を固定した（図１２（ｉｉｉ）参照）。
次いで、試料を固定した人体モデルＷを、図１３に示すように、着用者の側臥位を疑似的に再現するように３０度傾けて固定した。
この状態で、速度調整機能付き液体排出ポンプを用いて、排泄点より生理食塩水を速度２．５ｇ／ｓｅｃで７５ｇ注入した。
１０分静置後、漏れがあるかどうか確認し、漏れがなければ同様に排泄点より生理食塩水を排尿速度２．５ｇ／ｓｅｃで７５ｇを繰り返し注入した。漏れを確認した時点で試験を止め、漏れた時の吸収量を股漏れ（横漏れ）時吸収量とした。試験はＮ＝２で測定し、その平均を各試料の試験結果として下記表１に示した。
【００６２】
【表１】
0006468836.tif 000002
【００６３】
表１のとおり、側部弾性体を配置し、中央吸収体の厚みを側部吸収体よりも厚くした実施例１〜５の試料では、これらを備えない比較例１の試料と比べて、股漏れ時吸収量が多いことが分かる。すなわち、本発明１の股下における液吸収性能が優れていることが分かる。また、実施例１〜５のなかでも、実施例１では、側部弾性体を、幅方向中間領域を通るように配置し、長手方向において前方部には配さず、股下から後方部までとしたことにより、股漏れ時の吸収用量が最も多く、最も吸収性能に優れていることが分かる。
【符号の説明】
【００６４】
１  表面シート
２  裏面シート
３  吸収体
３１  中央吸収体
３２  側部吸収体
３８  スリット部
４  側部弾性体
５  中央弾性体
１０  尿とりパッド
Ｆ  吸収体の前方部
Ｃ  吸収体の股下部
Ｒ  吸収体の後方部
Ｌ１  前方部と股下部との境界
Ｌ２  股下部と後方部との境界
【図１】
0006468836.tif 000003
【図２】
0006468836.tif 000004
【図３】
0006468836.tif 000005
【図４】
0006468836.tif 000006
【図５】
0006468836.tif 000007
【図６】
0006468836.tif 000008
【図７】
0006468836.tif 000009
【図８】
0006468836.tif 000010
【図９】
0006468836.tif 000011
【図１０】
0006468836.tif 000012
【図１１】
0006468836.tif 000013
【図１２】
0006468836.tif 000014
【図１３】
0006468836.tif 000015